(57)【要約】【解決手段】防火区画貫通部の貫通口の内部から貫通口両端側の周囲縁を覆う枠体であって、貫通口の一端側で貫通口の内部から貫通口の上下左右の開口縁を夫々覆う分割自在な基板１０を形成し、該基板１０に対して貫通口の他端方向にスライド自在に組み合わされ、貫通口他端部の上下左右の開口縁を覆う分割自在な副基板２０を形成する。【効果】中空壁に開けた貫通口にケーブルラックを貫通せしめる場合には、装着作業を極めて簡略化することができる。しかも、貫通口のサイズの変更にも容易に対応することが可能である。また、コンクリートの隔壁にケーブルを貫通させる構造では、作業者の技術習熟度に拘わらず、効率の良い装着作業と良好な見栄えを実現する。【選択図】  図１
2004304911.tif 000002
【特許請求の範囲】
【請求項１】
防火区画貫通部の貫通口の内部から貫通口両端側の周囲縁を覆う枠体であって、貫通口の一端側で貫通口の内部から貫通口の上下左右の開口縁を夫々覆う分割自在な基板を形成し、該基板に対して貫通口の他端方向にスライド自在に組み合わせ、貫通口他端部の上下左右の開口縁を夫々覆う分割自在な副基板を形成したことを特徴とする防火区画貫通部用枠体。
【請求項２】
前記基板は上下左右に四分割され、各基板は貫通口の内部に挿入する挿入板と、該挿入板から開口縁を覆う当接板とが夫々屈曲形成され、左右基板の挿入板を上下基板の挿入板方向に屈曲延長してスライド板を形成し、上下基板の挿入板の挿入方向先端部を一部折り返し延長してスライド収納板を設け、該スライド収納板と挿入板との間にスライド板をスライド自在に挿入する請求項１記載の防火区画貫通部用枠体。
【請求項３】
前記副基板は、貫通口の内部に挿入して前記基板の挿入板にスライド重合する挿入板と、該挿入板から開口縁を覆う当接板とが夫々屈曲形成されると共に、該挿入板のスライド方向に沿った複数本の切込を設けて挿入板を複数の挿入片に分割し、該挿入片を前記基板の挿入板夫々に交互に重合する請求項１又は２記載の防火区画貫通部用枠体。
【請求項４】
前記副基板の各挿入板と前記基板の各挿入板とに夫々係合部を設け、基板の挿入板に対して副基板の挿入板のスライド幅が最大になる位置で、これら副基板の各係合部と基板の各係合部とが係止するように設けた請求項１乃至３いずれか記載の防火区画貫通部用枠体。
【発明の詳細な説明】
【０００１】
【発明の属する技術分野】
本発明は、主に耐火ボード壁（以下、中空壁と称する）に設けた貫通口に装着してケーブルを配線する防火区画貫通部用枠体に関する。
【０００２】
【従来の技術】
耐火構造用の壁として使用される中空壁や、コンクリートの隔壁に設けた貫通口にケーブル等を配線するには、この貫通口からの延焼を防止する施工が必要になる。例えば、中空壁に設けた貫通口にケーブルラックを貫通させる場合には、一般に、中空壁内の間柱を利用して貫通口を形成する枠体を設けたり、あるいは、板金加工で形成した枠体を装着して貫通口の周囲を補強し、この枠体の内部にケーブルラックを貫通させている。そして、ケーブルを敷設したケーブルラックと貫通口との隙間に耐熱パテを充填し、貫通口からの延焼を防止するものである。
【０００３】
一方、コンクリートの隔壁にケーブルを貫通させる構造として、例えば特許文献１に記載されたケーブル貫通部の防火構造がある。この特許文献１に記載されているように、貫通部の片側開口部の外周囲をケイカライトなどの耐火仕切板で囲み、貫通部の隙間に耐熱パテを充填するものである。
【０００４】
【特許文献１】
特開平８−１２６１６４号公報
【０００５】
【発明が解決しようとする課題】
中空壁に開けた貫通口にケーブルラックを貫通せしめる場合、前述のように貫通口の周囲に予め形成した枠体を装着しておく必要がある。その為、この枠体を形成するために、Ｃ型チャンネル材の加工や、板金加工などが必要となる。また、形成された枠体の装着工程にも多くの手間を要している。このように、中空壁へのケーブルラック貫通工事に極めて多くの労力を要するものであった。
【０００６】
また、中空壁にこれらの枠体を装着した後で、この枠体にケーブルラックを挿通すると、ケーブルラックが傾いたときに、この枠体が傾き、ボードを取り付けたときに隙間が生じる虞もある。
【０００７】
更に、ケーブルラックに敷設するケーブルの量が増えて、ケーブルラックのサイズが変更される場合には、この枠体のサイズに規制されるので、ケーブルラックのサイズを変更することができない。したがって、このような場合は、変更されるケーブルラックのサイズに応じた枠体を再び加工し、除去した枠体の後に新たな枠体を装着しなければならない。
【０００８】
一方、特許文献１に記載されているようなコンクリートの隔壁にケーブルを貫通させる構造では、開口部の外周囲をケイカライトなどの耐火仕切板で囲む際に、ケーブルラックの外周や敷設されたケーブルの外周形状に合わせて耐火仕切板を切り込む作業を要している。この作業は現場での手作業になることから、作業者の技術習熟度によって作業の効率や見栄えに大きな差が生じていた。
【０００９】
そこで本発明は、上述の課題を解消すべく創出されたものであり、中空壁に開けた貫通口にケーブルラックを貫通せしめる場合には、装着作業を極めて簡略化することが可能で、しかも、貫通口のサイズの変更にも容易に対応することができ、また、コンクリートの隔壁にケーブルを貫通させる構造では、作業者の技術習熟度に拘わらず、効率の良い装着作業と良好な見栄えを実現する防火区画貫通部用枠体の提供を目的とするものである。
【００１０】
【課題を解決するための手段】
上述の目的を達成すべく本発明の第１の手段は、防火区画貫通部の貫通口の内部から貫通口両端側の周囲縁を覆う枠体であって、貫通口の一端側で貫通口の内部から貫通口の上下左右の開口縁を夫々覆う分割自在な基板１０を形成し、該基板１０に対して貫通口の他端方向にスライド自在に組み合わされ、貫通口他端部の上下左右の開口縁を覆う分割自在な副基板２０を形成したことにある。
【００１１】
第２の手段の基板１０は上下左右に四分割され、各基板１０は、貫通口の内部に挿入する挿入板１１と、該挿入板１１から開口縁を覆う当接板１２とが夫々屈曲形成され、左右基板１０Ａの挿入板１１Ａを上下基板１０Ｂの挿入板１１Ｂ方向に屈曲延長してスライド板１３を形成し、上下基板１０Ｂの挿入板１１Ｂの挿入方向先端部を一部折り返し延長してスライド収納板１４を設け、該スライド収納板１４と挿入板１１Ｂとの間にスライド板１３をスライド自在に挿入するように設けている。
【００１２】
第３の手段の副基板２０は上下左右に四分割され、貫通口の内部に挿入して前記基板１０の挿入板１１にスライド重合する挿入板２１と、該挿入板２１から開口縁を覆う当接板２２とが夫々屈曲形成されると共に、該挿入板２１のスライド方向に沿った複数本の切込２４を設けて挿入板２１を複数の挿入片２５に分割し、該挿入片２５を前記基板１０の挿入板１１夫々に交互に重合する。
【００１３】
第４の手段は、前記副基板２０の各挿入板２１と前記基板１０の各挿入板１１とに夫々係合部１５，２３を設け、基板１０の挿入板１１に対して副基板２０の挿入板２１のスライド幅が最大になる位置で、これら副基板２０の各係合部２３と基板１０の各係合部１５とが係止するように設けたことを課題解消のための手段とする。
【００１４】
【発明の実施の形態】
以下、図面を参照して、本発明の実施の形態を詳細に説明する。本発明貫通部用枠は、防火区画貫通部の貫通口の内部から貫通口両端側の周囲縁を覆う枠体の構成に関するものである。
【００１５】
本発明の基本構成は、貫通口の一端側に装着する基板１０と、他端側に装着する副基板２０とから成る（図１参照）。これら基板１０、副基板２０は、いずれも分割自在に形成されると共に、貫通口の内部から貫通口の上下左右の開口縁を夫々覆うように構成されている。そして、基板１０に対して、貫通口の他端方向に、副基板２０をスライド自在に組み合わせるものである。
【００１６】
図示例の基板１０及び副基板２０は、いずれも貫通口の内部から貫通口の上下左右の開口縁を夫々覆う独立した四個の部材に分割される。そこで便宜上、基板１０及び副基板２０共に、左右に分割される部材に夫々符号Ａを付し、上下に分割される部材に夫々符号Ｂを付している（図１参照）。尚、左右の部材Ａは、左右対称形状であり、また、上下の部材Ｂは、上下対称形状になっている（図３参照）。
【００１７】
四分割された各基板１０は、夫々貫通口の内部に挿入する挿入板１１と、該挿入板１１から開口縁を覆う当接板１２とが屈曲形成されている（図２参照）。これら基板１０において、特に左右基板１０Ａの挿入板１１Ａを、上下基板１０Ｂの挿入板１１Ｂ方向に屈曲延長してスライド板１３を形成する（図４、図５参照）。このスライド板１３を上下基板１０Ｂの上下基板１１Ｂに重ねて左右にスライドさせることで、上下基板１０Ｂの幅員を調整するものである。すなわち、図４に示す当接板１２Ａを矢印方向にスライドさせると、図５に示すスライド板１３がスライドして挿入板１１Ｂの長さを延長することができる。
【００１８】
一方、上下基板１０Ｂの挿入板１１Ｂの挿入方向先端部を、一部折り返し延長してスライド収納板１４を設ける（図２参照）。そして、スライド板１３を上下基板１１Ｂに重ねてスライドさせる際に、このスライド収納板１４と上下基板１１Ｂとの間にスライド板１３を挿入するようにしている。このようにスライド板１３とスライド収納板１４とを組み合わせることで、基板１０において、左右基板１０Ａと上下基板１０Ｂとの組み合わせ状態を仮止めすることができ、基板１０の装着作業を容易ならしめるものである。図示例では、スライド板１３とスライド収納板１４とのスライド位置を安定させるために、これら両者の重合面に凹凸状の係合部１３ａ，１４ａを設けている（図２参照）。そして、これらの係合部１３ａ，１４ａが共に一致した位置で、スライド板１３を仮止めするものである。
【００１９】
副基板２０も基板１０と同様に上下左右に四分割される。そしてこの副基板２０にも貫通口の内部に挿入する挿入板２１と、該挿入板２１から開口縁を覆う当接板２２とが夫々屈曲形成されている（図３参照）。副基板２０の挿入板２１は、この挿入板２１を貫通口の内部に挿入した際に、前記基板１０の挿入板１１にスライド重合する長さに形成している。さらに、この挿入板２１のスライド方向に沿って複数本の切込２４を設け、挿入板２１を複数の挿入片２５に分割する。そして、これらの挿入片２５を前記基板１０の挿入板１１夫々に交互に重合するものである（図２参照）。このように基板１０の挿入板１１に、挿入片２５を交互に重合させることで、基板１０に対して副基板２０を仮り止め固定することができ、副基板２０のスライド調整作業や副基板２０の装着作業を容易にすることができる（図６、図７参照）。すなわち、図６に示す当接板２２Ｂを矢印方向にスライドさせると、図７に示す如く、挿入片２５（挿入板２１Ｂ）が矢印の如く移動し、基板１０の上下基板１１Ｂと、副基板２０の挿入板２１Ｂとによる長さを自由に変更することができる。
【００２０】
図中、符号１５，２３は、副基板２０の各挿入板２１と基板１０の各挿入板１１とを係止する係合部である（図２、図７、図９参照）。これらの係合部１５，２３は、基板１０の挿入板１１に対して副基板２０の挿入板２１のスライド幅が最大になる位置で、係止するように設けている。図示例では、基板１０の挿入板１１先端を屈曲して係合部１５を設け、副基板２０の挿入板２１先端部を屈曲して係合部１５を設けているが、係合部の位置や形状は図示例に限られるものではない。
【００２１】
図８及び図９は、基板１０の左右挿入板１１Ａと副基板２０の左右挿入板２１Ａとの重合状態を示している。すなわち、図８に示すように、副基板２０の左右挿入板２１Ａを矢印方向にスライドさせると、図９に示す如く、挿入板２１Ａの挿入片２５が移動し、スライド幅が最大の位置で係合部１５，２３相互が係合している。
【００２２】
図１０に基づいて、本発明貫通部用枠の使用方法を説明する。先ず中空壁ＲにケーブルラックＰを挿通する貫通口Ｒ１を形成する（同図イ）。次に、この貫通口Ｒ１のサイズに合わせて基板１０を組み合わせ、貫通口Ｒ１の一端部に装着し、貫通口Ｒ１の他端部側から基板１０に副基板２０を組み付ける（同図ロ、ハ）。図示例では、図面奥に基板１０を配し、図面手前に副基板２０を配している。これら基板１０及び副基板２０は、各当接板１２、２２を中空壁Ｒにねじ止め固定する（同図ハ）。更に、貫通口Ｒ１とケーブルラックＰとの間及び貫通口Ｒ１とケーブルＱとの隙間に耐火性の充填物Ｓを詰め込んで終了する。尚、図示例では、貫通口Ｒ１にケーブルラックＰを挿通した後で装着した例を示しているが、ケーブルラックＰを挿通する前に装着することも可能である。また、中空壁Ｒではなく、コンクリートの隔壁に設けた貫通口に装着することも可能である（図示せず）。
【００２３】
【発明の効果】
本発明は、上述の如く構成したことにより、当初の目的を達成する。
【００２４】
すなわち、貫通口一端部の上下左右の開口縁を覆う分割自在な基板１０に対して、貫通口の他端方向にスライド自在に組み合わされ、貫通口他端部の上下左右の開口縁を覆う分割自在にされた副基板２０を形成したことにより、貫通口にケーブルラックを貫通させる以前は勿論、貫通させた後でも本発明貫通部用枠を装着することができる。しかも、中空壁に開けた貫通口にケーブルラックを貫通せしめる場合には、従来のようなＣ型チャンネル材の加工や、板金加工などは必要になるので、装着作業を極めて簡略化することが可能になった。
【００２５】
また、コンクリートの隔壁にケーブルを貫通させる構造では、作業者の技術習熟度に拘わらず、効率の良い装着作業と良好な見栄えを実現する。
【００２６】
更に、上下基板１０Ｂの挿入板１１Ｂから屈曲形成したスライド収納板１４と挿入板１１Ｂとの間に、左右基板１０Ａの挿入板１１Ａから設けたスライド板１３をスライド自在に挿入することで、上下基板１０Ｂの幅員を左右基板１０Ａのスライド調整で任意に調整することが可能になる。この結果、貫通口のサイズの変更にも容易に対応することができる。
【００２７】
また、副基板２０の挿入片２５を前記基板１０の挿入板１１夫々に交互に重合することで、各基板１０と各副基板２０との組み合わせ作業が容易になり、中空壁やコンクリートの隔壁を問わずに容易に装着することができる。
【００２８】
そして、基板１０の挿入板１１に対して副基板２０の各挿入板２１のスライド幅が最大になる位置で、これら副基板２０の各係合部２３と基板１０の各係合部１５とが係止するように設けているから、副基板２０によるスライド調整作業が容易になる。
【００２９】
このように本発明によると、中空壁に開けた貫通口にケーブルラックを貫通せしめる場合には、装着作業を極めて簡略化することが可能で、しかも、貫通口のサイズの変更にも容易に対応することができ、また、コンクリートの隔壁にケーブルを貫通させる構造では、作業者の技術習熟度に拘わらず、効率の良い装着作業と良好な見栄えを実現するなどといった有益な種々の効果を奏するものである。
【図面の簡単な説明】
【図１】本発明の一実施例を示し組立て状態の斜視図。
【図２】本発明の一部分解斜視図。
【図３】本発明の分解斜視図。
【図４】本発明のスライド板とスライド収納板とを示す要部断面図。
【図５】本発明のスライド板とスライド収納板とを示す要部断面図。
【図６】本発明の上下基板に対する挿入片の挟着状態を示す要部断面図。
【図７】本発明の上下基板に対する挿入片の挟着状態を示す要部断面図。
【図８】本発明の挿入板に対する挿入片の挟着状態を示す要部断面図。
【図９】本発明の挿入板に対する挿入片の挟着状態を示す要部断面図。
【図１０】本発明の装着方法を示す概略図。
【符号の説明】
Ｐ  ケーブルラック
Ｑ  ケーブル
Ｒ  中空壁
Ｓ  充填物
Ａ  左右部材
Ｂ  上下部材
１０  基板
１１  挿入板
１２  当接板
１３  スライド板
１４  スライド収納板
１５  係合部
２０  副基板
２１  挿入板
２２  当接板
２３  係合部
２４  切込
２５  挿入片
【図１】
2004304911.tif 000003
【図２】
2004304911.tif 000004
【図３】
2004304911.tif 000005
【図４】
2004304911.tif 000006
【図５】
2004304911.tif 000007
【図６】
2004304911.tif 000008
【図７】
2004304911.tif 000009
【図８】
2004304911.tif 000010
【図９】
2004304911.tif 000011
【図１０】
2004304911.tif 000012